(57)【要約】【課題】収納ケースを引き出さなくても収納ケースを手前に傾けるだけで収納ケース内のものを見ることができるとともに、物を取り出すために収納ケースを引き出すことができる収納ケース及びこの収納ケースを収納した収納棚を提供する。【解決手段】本考案は、底面部２と、底面部２から立ち上がる正面部３、右側面部４、左側面部５及び背面部６とを備えるとともに上方に開口し、前記底面部２は、水平方向に平坦に形成された水平部７と、この水平部７から前記正面部３に向かって上方に傾斜した傾斜面部８とを有している収納ボックスの収納ケース１に関する。【選択図】図１
0003212823.tif 000002
【実用新案登録請求の範囲】
【請求項１】
底面部と、底面部から立ち上がる正面部、右側面部、左側面部及び背面部とを備えるとともに上方に開口し、
前記底面部は、水平方向に平坦に形成された水平部と、この水平部から前記正面部に向かって上方に傾斜した傾斜面部とを有している収納ボックスの収納ケース。
【請求項２】
前記傾斜面部は、前記水平部に対して２５度以上５０度以下の角度で傾斜している請求項１に記載の収納ボックスの収納ケース。
【請求項３】
前記水平部と前記傾斜面部との間の屈曲部は、前記正面部と前記背面部との間を２等分した位置よりも前記正面部側であって、前記正面部と前記背面部との間を５等分した場合の前記正面部から５分の１の位置よりも前記背面部側の位置に形成されている請求項１又は２に記載の収納ボックスの収納ケース。
【請求項４】
前記水平部と前記傾斜面部との間の屈曲部は、前記正面部と前記背面部との間を３等分した位置よりも前記正面部側であって、前記正面部と前記背面部との間を５等分した場合の前記正面部から５分の１の位置よりも前記背面部側の位置に形成されている請求項１又は２に記載の収納ボックスの収納ケース。
【請求項５】
前記右側面部及び前記左側面部の上端縁は、前記正面部から前記背面部に向かって下りかつ前記傾斜面部の傾斜角度よりも小さく傾斜している請求項１から４のいずれか一項に記載の収納ボックスの収納ケース。
【請求項６】
前記右側面部及び前記左側面部は、可撓性のある素材により形成され、
前記底面部は、可撓性のある素材により形成された外表面部と、この外表面部の内側に配された剛性のある板部材により形成された中敷部とを有し、
前記中敷部に屈曲部が形成され、その前記背面部側を前記水平部とし、前記正面部側を前記傾斜面部としているとともに、前記中敷部が前記外表面部上に着脱自在に形成されている請求項１から５のいずれか一項に記載の収納ボックスの収納ケース。
【請求項７】
請求項１から６のいずれか一項に記載の収納ケースと、
この収納ケースを内部に収納可能な収納棚とを有する収納ボックス。
【考案の詳細な説明】
【技術分野】
【０００１】
本考案は、収納ケース及び収納ボックスに関する。
【背景技術】
【０００２】
複数段の収納スペースを有した棚本体に収納ケースを引き出し及び収納自在に設けた収納棚が広く知られている（例えば下記特許文献１）。
例えば、下記特許文献１の収納棚は、底壁，天井壁及び所定の高さを有する側壁で囲繞された枠状の棚本体に、底部に前後左右の側部を立設した複数の引き出し体を多段に配設し、配設される引き出し体の高さ方向における配設順位を任意の配設順位にし得るように構成されている。
【先行技術文献】
【特許文献】
【０００３】
【特許文献１】特開平１０−２９５４６２号公報
【考案の概要】
【考案が解決しようとする課題】
【０００４】
しかし、従来の収納箱は、引き出し体を棚本体から引き出さないと引き出し体に入っているものを確認することができないという問題があった。
そこで本考案は、収納ケースを引き出さなくても収納ケースを手前に傾けるだけで収納ケース内のものを見ることができるとともに、物を取り出すために収納ケースを引き出すことができる収納ケース及びこの収納ケースを収納棚に収納した収納ボックスを提供する。
【課題を解決するための手段】
【０００５】
本考案の収納ケースは、底面部と、底面部から立ち上がる正面部、右側面部、左側面部及び背面部とを備えるとともに上方に開口し、前記底面部は、水平方向に平坦に形成された水平部と、この水平部から前記正面部に向かって上方に傾斜した傾斜面部とを有している。
この構成によれば、収納ケースを収納棚内において回動させ、内部を見やすくすることができる。
【０００６】
本考案の収納ケースの前記傾斜面部は、前記水平部に対して２５度以上５０度以下の角度で傾斜していてもよい。
この構成によれば、収納ケースを収納棚内において適度に回転させることができる。
【０００７】
本考案の収納ケースの前記水平部と前記傾斜面部との間の屈曲部は、前記正面部と前記背面部との間を２等分した位置よりも前記正面部側であって、前記正面部と前記背面部との間を５等分した場合の前記正面部から５分の１の位置よりも前記背面部側の位置に形成されていてもよい。
この構成によれば、収納ケースを収納棚内において安定的に載置することができる。
【０００８】
本考案の収納ケースの前記水平部と前記傾斜面部との間の屈曲部は、前記正面部と前記背面部との間を３等分した位置よりも前記正面部側であって、前記正面部と前記背面部との間を５等分した場合の前記正面部から５分の１の位置よりも前記背面部側の位置に形成されていてもよい。
この構成によれば、収納ケースを収納棚内においてより安定的に載置することができる。
【０００９】
本考案の収納ケースの前記右側面部及び前記左側面部の上端縁は、前記正面部から前記背面部に向かって下りかつ前記傾斜面部の傾斜角度よりも小さく傾斜していてもよい。
この構成によれば、収納ケース内の物の収容空間を可及的に大きくとることができるとともに、収納ケースを回転させた際に傾きすぎることを防止することができる。
【００１０】
本考案の収納ケースの前記右側面部及び前記左側面部は、可撓性のある素材により形成され、前記底面部は、可撓性のある素材により形成された外表面部と、この外表面部の内側に配された剛性のある板部材により形成された中敷部とを有し、前記中敷部に屈曲部が形成され、その前記背面部側を前記水平部とし、前記正面部側を前記傾斜面部としているとともに、前記中敷部が前記外表面部上に着脱自在に形成されていてもよい。
この構成によれば、収納ケースを折り畳んでしまうことができる。
【００１１】
本考案の収納ボックスは、上記いずれか一項に記載の収納ケースと、この収納ケースを内部に収納可能な収納棚とを有する。
【考案の効果】
【００１２】
本考案の収納ケース及び収納ボックスは、収納ケースを引き出さなくても収納ケースを手前に傾けるだけで収納ケース内のものを見ることができるとともに、物を取り出すために収納ケースを引き出すことができるという効果を奏する。
【図面の簡単な説明】
【００１３】
【図１】本考案の一実施形態の収納ケースを示した斜視図である。
【図２】本考案の一実施形態の収納ケースを示した底面図である。
【図３】本考案の一実施形態の収納ケースを示した右側面図である。
【図４】本考案の一実施形態の収納ケースを示した正面図である。
【図５】本考案の一実施形態の収納ケースを示した背面図である。
【図６】本考案の一実施形態の収納ボックスの使用状態を示した斜視図である。
【図７】本考案の一実施形態の収納ボックスの使用状態を示した一部縦断面図である。
【考案を実施するための形態】
【００１４】
以下、図を参照して本考案の収納ケース及び収納ボックスの一実施形態について説明する。
なお、本明細書において、収納ケースを収納棚にセットした状態の向き及び相対的な位置関係を基準に、上下方向、手前側、奥行き（方向）という。
【００１５】
図１に示すように、本考案の一実施形態の収納ケース１は、底面部２と、底面部２から立ち上がる正面部３、右側面部４、左側面部５及び背面部６とを備えるとともに上方に開口している。そして、底面部２は、水平方向に平坦に形成された水平部７と、水平部７から正面部３に向かって上方に傾斜した傾斜面部８とを有している。
【００１６】
底面部２は、図２に示すように、底面視で略矩形に形成されており、前面辺２０ａ、右側辺２０ｂ、左側辺２０ｃ及び後面辺２０ｄにより囲まれて形成されている。底面部２の奥行き方向中間部にはやや滑らかに折れ曲がった又は稜線を形成するように折れ曲がった屈曲部２１が形成されている。本実施形態では屈曲部２１は稜線を描くように形成されているので、本明細書において屈曲部２１は屈曲線２１ａと称する。底面部２は、屈曲線２１ａを介して正面部３側が傾斜面部８、背面部６側が水平部７となっている。
【００１７】
屈曲線２１ａは、底面部２の奥行き方向の寸法を、平面視で２等分した位置Ｌ１よりも正面部３側であって、平面視で前面辺２０ａから全体の５分の１の位置Ｌ２よりも背面部６側の位置に形成されているのが好ましい。また、屈曲線２１ａは、平面視で前面辺２０ａから全体の３分の１の位置Ｌ３よりも正面部３側で、位置Ｌ２よりも背面部６側に位置していることがより好ましい。言い換えると、屈曲線２１ａは、奥行き寸法全体に対する傾斜面部８の平面視の奥行き寸法を、５分の１以上２分の１未満にする位置に形成されていればよく、５分の１以上３分の１未満にする位置が好ましく、略４分の１にする位置に形成されているのが最も好ましい。
【００１８】
水平部７は、底面部２のうち、後面辺２０ｄから屈曲線２１ａまでの部分であり、本実施形態では平面視で底面部２全体の約４分の３の領域を占めている。
傾斜面部８は、底面部２のうち、屈曲線２１ａから前面辺２０ａまで部分であり、本実施形態では平面視で底面部２全体の約４分の１の領域を占め、正面部３から屈曲線２１ａに向けて下方に傾斜している。
図３に示すように、傾斜面部８の傾斜角度θ１は、底面部２から２５度以上５０度以下であればよく、２５度から４５度に形成されていることが好ましい。本実施形態では、約３０度に形成されている。
【００１９】
図４は、収納ケース１を正面から視た図である。正面部３は、上辺３ａ、右側辺３ｂ、左側辺３ｃ及び下辺３ｄに取り囲まれて略矩形に形成され、図３に示すように、水平部７に対して略垂直に立ち上がるように形成されている。図４に示すように、正面部３の上部側の左右中央付近には、取っ手Ｔが設けられている。
図５に示すように、背面部６は、上辺６ａ、右側辺６ｂ、左側辺６ｃ及び下辺６ｄに取り囲まれて略矩形に形成されている。背面部６の幅寸法は、正面部３と同一で、背面部６の上下方向の長さ（すなわち高さ寸法）は、正面部３よりも小さく形成されている。背面部６は、図３に示すように、水平部７に対して略垂直に立ち上がるように形成されている。
【００２０】
図３に示すように、右側面部４は、正面部３の右側辺３ｂ、傾斜面部８の右側辺８ｂ、水平部７の右側辺７ｂ、背面部６の左側辺６ｃ及び正面部３の右側辺３ｂの上端と背面部６の左側辺６ｃの上端とを結んだ傾斜辺９とに囲まれて平坦面に形成されている。
右側面部４の上端の傾斜辺９は、水平部７に対して、傾斜面部８の傾斜角度θ１よりも小さい傾斜角度θ２に形成されている。
図１に示すように、左側面部５は、右側面部４と同形状に形成されている。左側面部５は、正面部３の左側辺３ｃと背面部６の右側辺６ｂとの間であって、右側面部４に対向配置されている。
【００２１】
図６に示すように、収納棚１１は、底板部１２、右側板部１３，左側板部１４，背板部１５、天板部１６及び仕切り板１７を有し、正面が開口した棚部材である。
収納棚１１の内部空間Ｓは、仕切り板１７で上下方向に複数の収納部Ｓ１，Ｓ２，Ｓ３に区画され（本実施形態では３段）、収納ケース１を配することができるように形成されている。
収納部Ｓ１，Ｓ２，Ｓ３は、収納ケース１を若干の遊びを以て収容できる幅寸法で、上方に隙間を形成し得る大きさに形成されている。
【００２２】
以上の構成により、収納ケース１は、収納棚１１の各収納部Ｓ１，Ｓ２，Ｓ３に配置して用いることができる。収納ケース１を収納部Ｓ１，Ｓ２，Ｓ３から引き出すことなく見たい場合には、図６及び図７に示すように、収納ケース１を手前側に傾ける。この際、収納ケース１は、傾斜面部８を有するとともに、右側面部４及び左側面部５の上端縁が傾斜辺９となっていることから、屈曲線２１ａを軸として全体を手前側に容易に回動させることができる。
そして、収納ケース１の中の物を取り出したい場合には、取っ手Ｔを持ち、収納ケース１を収納部Ｓから引き出すことができる。
【００２３】
したがって、収納ケース１の中を確認したいだけの場合に、収納ケース１をわざわざ収納部に対して出し入れする手間を省いて簡便に中を見ることができるという効果を奏する。そして、平面視で、収納ケース１の底面部２の４分の３が水平部７となるように形成されているため、収納ケース１の中を見終わった場合には、取っ手Ｔを軽く奥側に押すだけで屈曲線２１ａを軸線として奥側に回動し、収納部Ｓ１，Ｓ２，Ｓ３内に安定的に収めることができる。
【００２４】
また、収納ケース１の中のものを取り出したい場合には、収納ケース１を収納部Ｓ１，Ｓ２，Ｓ３から引き出して十分に開口部を解放した状態で、物の出し入れをすることができるので、取扱いを非常に容易にすることができるという効果を奏する。
すなわち、収納ボックスＸは、目的に応じた簡便な使用を可能にすることができるという効果を奏する。
【００２５】
また、収納ケース１は、傾斜面部８を水平部７に対して２５度以上５０度以下の角度、好ましくは約３０度で傾斜させているため、収納ケース１を収納棚１１内において適度に回転させることができる。
また、収納ケース１は、平面視で、水平部７を底面部２の約４分の３となるように設け、傾斜面部を底面部２の４分の１となるように設けているため、収納棚１１内において安定的に載置することができるとともに、収納ケース１の回転を容易にすることができる。
【００２６】
なお、収納ケース１は、正面部３、背面部６を剛性のある板部材を含んで形成し、右側面部４及び左側面部５を奥行き方向中間部で折り曲げ可能に形成し、底面部２を可撓性のある素材と、傾斜面部８と水平部７とを備えた剛性のある板状の中敷部とを有した構成としてもよい。この場合、中敷は着脱自在に形成しておく。
収納ケース１はこのような構成にすることにより、中敷部を取り外した上で左右側面部４，５において折り曲げ、収納ケース１を偏平にして保管しておくことが可能となる。
【符号の説明】
【００２７】
１  収納ケース
２  底面部
３  正面部
４  右側面部
５  左側面部
６  背面部
７  水平部
８  傾斜面部
９  傾斜辺
１１    収納棚
２１    屈曲部
２１ａ  屈曲線
Ｘ  収納ボックス
【図１】
0003212823.tif 000003
【図２】
0003212823.tif 000004
【図３】
0003212823.tif 000005
【図４】
0003212823.tif 000006
【図５】
0003212823.tif 000007
【図６】
0003212823.tif 000008
【図７】
0003212823.tif 000009